(57)【要約】【課題】回路構成の簡略化および省スペース化を図ることが可能な信号処理回路を提供する。【解決手段】この信号処理回路１３ａは、第１接地電位ＯＰ−ＧＮＤを基準として第１電圧値を有する第１参照電圧ＯＰ−Ｖｒｅｆに基づいて演算処理を行うオペアンプ１６ａおよび１６ｂと、オペアンプ１６ａおよび１６ｂの出力に接続され、第２接地電位ＡＤ−ＧＮＤを基準として第１電圧値とは異なる第２電圧値を有する第２参照電圧ＡＤ−Ｖｒｅｆに基づいて演算処理を行うＡ／Ｄコンバータ１７と、Ａ／Ｄコンバータ１７の第２参照電圧ＡＤ−Ｖｒｅｆが入力される端子Ｔ３に接続され、第１電圧値と第２電圧値とが等しくなるように第２接地電位ＡＤ−ＧＮＤを調整するための接地電位調整部１８とを備える。【選択図】図２
2014138229.tif 000002
【特許請求の範囲】
【請求項１】
第１基準電位を基準として第１電圧値を有する第１参照電圧に基づいて、入力信号に対して第１演算処理を行う第１回路と、
前記第１回路の出力に接続され、第２基準電位を基準として、前記第１電圧値とは異なる第２電圧値を有する第２参照電圧に基づいて、前記第１回路からの出力信号に対して第２演算処理を行う第２回路と、
前記第１回路の前記第１参照電圧が入力される端子、および、前記第２回路の前記第２参照電圧が入力される端子の少なくとも一方に接続され、前記第１電圧値と前記第２電圧値とが等しくなるように、前記第１基準電位および前記第２基準電位の少なくとも一方を調整するための接地電位調整部とを備えた、信号処理回路。
【請求項２】
前記接地電位調整部は、前記第１基準電位および前記第２基準電位の少なくとも一方が調整される前の前記第１電圧値と前記第２電圧値との電位差分の電圧を抵抗分圧により生成するための少なくとも２つの抵抗を含む、請求項１に記載の信号処理回路。
【請求項３】
前記接地電位調整部は、ノイズ除去のためのセラミックコンデンサをさらに含む、請求項２に記載の信号処理回路。
【請求項４】
前記第２回路の出力には、前記接地電位調整部により前記第２基準電位が調整されることに起因して変化した前記第２回路からの出力信号の電圧レベルを前記第２基準電位が調整される前の電圧レベルに戻すための出力電圧調整部が接続されている、請求項１〜３のいずれか１項に記載の信号処理回路。
【請求項５】
前記第１回路は、アナログ音声信号を増幅するためのオペアンプを含み、
前記第２回路は、前記オペアンプから出力された前記アナログ音声信号をデジタル音声信号に変換するためのアナログ−デジタルコンバータを含む、請求項１〜４のいずれか１項に記載の信号処理回路。
【請求項６】
ディスク型記録媒体を再生可能なディスク装置であって、
第１基準電位を基準として第１電圧値を有する第１参照電圧に基づいて、入力されたアナログ音声信号を増幅するためのオペアンプと、
前記オペアンプの出力に接続され、第２基準電位を基準として、前記第１電圧値とは異なる第２電圧値を有する第２参照電圧に基づいて、前記オペアンプから出力された前記アナログ音声信号をデジタル音声信号に変換するためのアナログ−デジタルコンバータと、
前記オペアンプの前記第１参照電圧が入力される端子、および、前記アナログ−デジタルコンバータの前記第２参照電圧が入力される端子の少なくとも一方に接続され、前記第１電圧値と前記第２電圧値とが等しくなるように、前記第１基準電位および前記第２基準電位の少なくとも一方を調整するための接地電位調整部とを備えた、ディスク装置。
【発明の詳細な説明】
【技術分野】
【０００１】
この発明は、信号処理回路およびディスク装置に関し、特に、信号処理を行う第１回路および第２回路を備えた信号処理回路およびディスク装置に関する。
【背景技術】
【０００２】
従来、信号処理を行う第１回路および第２回路を備えた信号処理回路が知られている。
【０００３】
上記のような従来の信号処理回路では、第１回路の動作の基準となる第１参照電圧と、第２回路の動作の基準となる第２参照電圧とが互いに異なる場合がある。この場合、第１回路が処理可能な信号の電圧レベルと、第２回路が処理可能な信号の電圧レベルとが互いに異なるため、第１回路のからの出力信号が第２回路にそのまま入力された際に、第１回路からの出力信号が第２回路によって正常に処理されないという不都合がある。
【０００４】
そこで、上記のような不都合を解消するために、第１回路の出力と第２回路の入力との間に、第１回路からの出力信号の電圧レベルを調整するための自動レベル調整回路が設けられた構成が提案されている（たとえば、特許文献１参照）。
【０００５】
上記特許文献１には、増幅器の出力と、増幅器の出力に接続される他の回路（たとえば、アナログ−デジタルコンバータなどが考えられる）の入力との間に設けられ、増幅器からの出力信号の電圧レベルを調整するための自動レベル調整回路が開示されている。この自動レベル調整回路は、円柱形状の電解コンデンサなどの比較的大きな回路素子を含む複雑な回路により構成されている。
【先行技術文献】
【特許文献】
【０００６】
【特許文献１】特開昭６０−４８６０９号公報
【発明の概要】
【発明が解決しようとする課題】
【０００７】
しかしながら、上記特許文献１では、増幅器の出力と、増幅器の出力に接続される他の回路との間に設けられる自動レベル調整回路が、電解コンデンサなどの比較的大きな回路素子を含む複雑な回路により構成されているため、回路構成が複雑化および大型化するという問題点がある。
【０００８】
この発明は、上記のような課題を解決するためになされたものであり、この発明の１つの目的は、回路構成の簡略化および省スペース化を図ることが可能な信号処理回路およびディスク装置を提供することである。
【課題を解決するための手段】
【０００９】
上記目的を達成するために、この発明の第１の局面による信号処理回路は、第１基準電位を基準として第１電圧値を有する第１参照電圧に基づいて、入力信号に対して第１演算処理を行う第１回路と、第１回路の出力に接続され、第２基準電位を基準として、第１電圧値とは異なる第２電圧値を有する第２参照電圧に基づいて、第１回路からの出力信号に対して第２演算処理を行う第２回路と、第１回路の第１参照電圧が入力される端子、および、第２回路の第２参照電圧が入力される端子の少なくとも一方に接続され、第１電圧値と第２電圧値とが等しくなるように、第１基準電位および第２基準電位の少なくとも一方を調整するための接地電位調整部とを備える。
【００１０】
この発明の一の局面による信号処理回路では、上記のように構成することによって、第１回路の動作の基準となる第１参照電圧と、第２回路の動作の基準となる第２参照電圧とが互いに異なる場合でも、接地電位調整部により、第１参照電圧の第１基準電位を基準とする第１電圧値と、第２参照電圧の第２基準電位を基準とする第２電圧値とを等しくすることができる。これにより、第１回路の出力と第２回路の入力との間に円柱形状の電解コンデンサなどの比較的大きな回路素子を含む複雑なレベル変換回路を設けることなく、第１回路からの出力信号を第２回路によって正常に処理することができるので、回路構成の簡略化および省スペース化を図ることができる。また、第１回路の出力と第２回路の入力との間に上記レベル変換回路を設けないことにより、第１回路からの出力信号が劣化することなく第２回路に入力されるので、信号の歪みを抑制することもできる。
【００１１】
上記第１の局面による信号処理回路において、好ましくは、第１基準電位および第２基準電位の少なくとも一方が調整される前の第１電圧値と第２電圧値との電位差分の電圧を抵抗分圧により生成するための少なくとも２つの抵抗を含む。このように構成すれば、少なくとも２つの抵抗により、調整前の第１電圧値と第２電圧値との電位差分の電圧を容易に生成することができるので、容易に、第１電圧値と第２電圧値とが等しくなるように第１基準電位および第２基準電位の少なくとも一方を調整することができる。
【００１２】
この場合、好ましくは、接地電位調整部は、ノイズ除去のためのセラミックコンデンサをさらに含む。このように構成すれば、円柱形状の電解コンデンサよりも小さいセラミックコンデンサを用いることにより接地電位調整部の省スペース化を図りながら、容易に、ノイズを除去することができる。
【００１３】
上記第１の局面による信号処理回路において、好ましくは、第２回路の出力には、接地電位調整部により第２基準電位が調整されることに起因して変化した第２回路からの出力信号の電圧レベルを第２基準電位が調整される前の電圧レベルに戻すための出力電圧調整部が接続されている。このように構成すれば、接地電位調整部により第２基準電位が調整されることに起因して第２回路からの出力信号の電圧レベルが変化した場合でも、出力電圧調整部により、容易に、第２回路からの出力信号の電圧レベルを調整前の電圧レベルに戻すことができる。
【００１４】
上記第１の局面による信号処理回路において、好ましくは、第１回路は、アナログ音声信号を増幅するためのオペアンプを含み、第２回路は、オペアンプから出力されたアナログ音声信号をデジタル音声信号に変換するためのアナログ−デジタルコンバータを含む。このように構成すれば、オペアンプとアナログーデジタルコンバータとを備えた信号処理回路において、容易に、回路構成の簡略化および省スペース化を図ることができる。
【００１５】
この発明の第２の局面によるディスク装置は、ディスク型記録媒体を再生可能なディスク装置であって、第１基準電位を基準として第１電圧値を有する第１参照電圧に基づいて、入力されたアナログ音声信号を増幅するためのオペアンプと、オペアンプの出力に接続され、第２基準電位を基準として、第１電圧値とは異なる第２電圧値を有する第２参照電圧に基づいて、オペアンプから出力されたアナログ音声信号をデジタル音声信号に変換するためのアナログ−デジタルコンバータと、オペアンプの第１参照電圧が入力される端子、および、アナログ−デジタルコンバータの第２参照電圧が入力される端子の少なくとも一方に接続され、第１電圧値と第２電圧値とが等しくなるように、第１基準電位および第２基準電位の少なくとも一方を調整するための接地電位調整部とを備える。
【００１６】
この発明の第２の局面によるディスク装置では、上記のように構成することによって、オペアンプの動作の基準となる第１参照電圧と、アナログ−デジタルコンバータの動作の基準となる第２参照電圧とが互いに異なる場合でも、接地電位調整部により、第１参照電圧の第１基準電位を基準とする第１電圧値と、第２参照電圧の第２基準電位を基準とする第２電圧値とを等しくすることができる。これにより、オペアンプの出力とアナログ−デジタルコンバータの入力との間に円柱形状の電解コンデンサなどの比較的大きな回路素子を含む複雑なレベル変換回路を設けることなく、オペアンプからの出力信号をアナログ−デジタルコンバータによって正常に処理することができるので、回路構成の簡略化および省スペース化を図ることが可能なディスク装置を提供することができる。また、オペアンプの出力とアナログ−デジタルコンバータの入力との間に上記レベル変換回路を設けないことにより、オペアンプからの出力信号が劣化することなくアナログ−デジタルコンバータに入力されるので、信号の歪みを抑制することが可能なディスク装置を提供することもできる。
【発明の効果】
【００１７】
本発明によれば、上記のように、回路構成の簡略化および省スペース化を図ることができる。
【図面の簡単な説明】
【００１８】
【図１】本発明の一実施形態によるディスク装置の全体構成を示したブロック図である。
【図２】図１に示したディスク装置の音声処理部に含まれる信号処理回路の回路図である。
【図３】図２に示した信号処理回路のオペアンプからの出力信号（Ａ／Ｄコンバータへの入力信号）の波形図である。
【発明を実施するための形態】
【００１９】
以下、本発明の実施形態を図面に基づいて説明する。
【００２０】
まず、図１を参照して、本発明の一実施形態によるディスク装置１０の構成について説明する。なお、ディスク装置１０は、ＤＶＤやＢＤなどのディスク型記録媒体（光ディスク）を再生可能であるとともに、ディスク装置１０に接続された外部機器（たとえば、テレビジョン装置２０）から入力される映像・音声データを光ディスクに対して記録可能に構成された記録再生装置である。
【００２１】
図１に示すように、ディスク装置１０は、ケーブル（たとえば、ＨＤＭＩケーブル）３０を介してテレビジョン装置２０に接続されている。また、ディスク装置１０は、ディスクドライブ１１と、映像処理部１２と、音声処理部１３と、映像・音声入出力部１４と、制御部１５とを備える。
【００２２】
ディスクドライブ１１は、ＤＶＤやＢＤなどの光ディスクを駆動するために設けられている。また、映像処理部１２および音声処理部１３は、それぞれ、ディスクドライブ１１により駆動された光ディスクに含まれる映像および音声データに対して所定の処理（信号処理）を施すために設けられている。
【００２３】
また、映像・音声入出力部１４は、映像処理部１２および音声処理部１３により処理された映像・音声データを外部（たとえば、テレビジョン装置２０）に出力するとともに、外部からの映像・音声データの入力を受け付けるインターフェースとして設けられている。また、制御部１５は、ディスク装置１０の各部の制御を行うために設けられている。
【００２４】
ここで、本実施形態では、音声処理部１３は、後述するオペアンプ１６ａおよび１６ｂと、後述するＡ／Ｄコンバータ（アナログ−デジタルコンバータ）１７とを有する信号処理回路１３ａ（図２参照）を含む。なお、オペアンプ１６ａおよび１６ｂは、本発明の「第１回路」の一例である。また、Ａ／Ｄコンバータ１７は、本発明の「第２回路」の一例である。以下では、図２および図３を参照して、信号処理回路１３ａについて詳細に説明する。
【００２５】
図２に示すように、信号処理回路１３ａは、入力されたアナログ音声信号を増幅する処理（第１演算処理）を行うための一対のオペアンプ１６ａおよび１６ｂと、一対のオペアンプ１６ａおよび１６ｂの出力に接続され、オペアンプ１６ａおよび１６ｂから出力されたアナログ音声信号をデジタル音声信号に変換する処理（第２演算処理）を行うためのＡ／Ｄコンバータ１７とを含む。なお、一対のオペアンプ１６ａおよび１６ｂは、共に、第１参照電圧ＯＰ−Ｖｒｅｆに基づいて動作するように構成されている。また、Ａ／Ｄコンバータ１７は、上記第１参照電圧ＯＰ−Ｖｒｅｆとは異なる第２参照電圧ＡＤ−Ｖｒｅｆに基づいて動作するように構成されている。ここで、第１参照電圧ＯＰ−Ｖｒｅｆは、たとえば第１接地電位ＯＰ−ＧＮＤ（図２の点Ｐ１の電位）が０Ｖの場合には、その０Ｖの第１接地電位ＯＰ−ＧＮＤを基準として５Ｖの電圧値（第１電圧値）を有する。また、第２参照電圧ＡＤ−Ｖｒｅｆは、たとえば第２接地電位ＡＤ−ＧＮＤ（図２の点Ｐ３の電位）が０Ｖの場合には、その０Ｖの第２接地電位ＡＤ−ＧＮＤを基準として２．５Ｖの電圧値（第２電圧値）を有する。なお、第１接地電位ＯＰ−ＧＮＤおよび第２接地電位ＡＤ−ＧＮＤは、本発明の「第１基準電位」および「第２基準電位」の一例である。
【００２６】
オペアンプ１６ａおよび１６ｂの−端子（アナログ音声信号が入力される端子）には、それぞれ、抵抗Ｒ１およびＲ２が設けられた入力線４１ａおよび４１ｂが接続されている。これらの入力線４１ａおよび４１ｂは、それぞれ、右側音声および左側音声に対応するアナログ音声信号が入力されるように構成されている。
【００２７】
また、オペアンプ１６ａおよび１６ｂの＋端子（第１参照電圧ＯＰ−Ｖｒｅｆが入力される端子）は、共に、電解コンデンサＣ１を介して接地されている。これにより、電解コンデンサＣ１の接地されている側の電極とグランドとの間の点Ｐ１の電位（第１接地電位ＯＰ−ＧＮＤ）は、０Ｖに設定されている。なお、電解コンデンサＣ１の接地されていない側の電極は、抵抗Ｒ３およびＲ４を介して電源５１（電源電圧Ｖ１）に接続されている。
【００２８】
抵抗Ｒ３の抵抗Ｒ４とは反対側には、抵抗Ｒ５が直列に接続されている。この抵抗Ｒ５は、電解コンデンサＣ１に並列に接続されている。また、抵抗Ｒ４の電源５１とは反対側には、抵抗Ｒ６が直列に接続されている。この抵抗Ｒ６は、互いに直列に接続された上記抵抗Ｒ３およびＲ５に並列に接続されている。なお、抵抗Ｒ６には、電解コンデンサＣ２が並列に接続されている。
【００２９】
ここで、抵抗Ｒ３〜Ｒ６は、電源５１から供給される電源電圧Ｖ１を分圧するために設けられている。具体的には、抵抗Ｒ３〜Ｒ６は、電源５１から供給される電源電圧Ｖ１を分圧することにより、抵抗Ｒ３とＲ５との間に接続される点Ｐ２の電位（オペアンプ１６ａおよび１６ｂの各々の第１参照電圧ＯＰ−Ｖｒｅｆが入力される＋端子の電位）を５Ｖにすることが可能な抵抗値を有する。これにより、オペアンプ１６ａおよび１６ｂの各々の＋端子に供給される第１参照電圧ＯＰ−Ｖｒｅｆの電圧値（第１電圧値）は、５Ｖになるので、オペアンプ１６ａおよび１６ｂは、共に、５Ｖの第１参照電圧ＯＰ−Ｖｒｅｆに基づいて正常に動作する。その結果、図３に示すように、オペアンプ１６ａおよび１６ｂからの出力信号の波形は、５Ｖの電圧値を基準として正弦波状に振動する波形となる。
【００３０】
なお、図２に示すように、オペアンプ１６ａおよび１６ｂの出力端子は、それぞれ、信号線４２ａおよび４２ｂを介してＡ／Ｄコンバータ１７の端子Ｔ１およびＴ２（入力端子）に接続されている。信号線４２ａは、抵抗Ｒ７を介して入力線４１ａに接続されている。また、信号線４２ｂは、抵抗Ｒ８を介して入力線４１ｂに接続されている。抵抗Ｒ７およびＲ８には、それぞれ、セラミックコンデンサＣ３およびＣ４が並列に接続されている。
【００３１】
Ａ／Ｄコンバータ１７の端子Ｔ３（第２参照電圧ＡＤ−Ｖｒｅｆが入力される端子）は、セラミックコンデンサＣ５を介して後述する接地電位調整部１８に接続されている。また、Ａ／Ｄコンバータ１７の端子Ｔ４は、セラミックコンデンサＣ６に接続されている。なお、セラミックコンデンサＣ６の端子Ｔ４側および端子Ｔ４とは反対側の両電極は、共に、セラミックコンデンサＣ５と接地電位調整部１８との間の点Ｐ３に接続されている。
【００３２】
Ａ／Ｄコンバータ１７の端子Ｔ５（電源５２から駆動電圧Ｖ２が入力される端子）は、セラミックコンデンサＣ７を介してセラミックコンデンサＣ６の端子Ｔ４側の電極に接続されている。また、Ａ／Ｄコンバータ１７の端子Ｔ６（電源５３からプルアップ電圧Ｖ３が入力される端子）は、セラミックコンデンサＣ８を介してセラミックコンデンサＣ６の端子Ｔ４とは反対側の電極に接続されている。これにより、Ａ／Ｄコンバータ１７の端子Ｔ５およびＴ６は、共に、セラミックコンデンサＣ５と接地電位調整部１８との間の点Ｐ３に接続されている。なお、Ａ／Ｄコンバータ１７の端子Ｔ７は、セラミックコンデンサＣ８の端子Ｔ６とは反対側の電極に接続されている。
【００３３】
ここで、接地電位調整部１８は、上記抵抗Ｒ３とＲ５との間に接続される点Ｐ２の電位（オペアンプ１６ａおよび１６ｂの各々の第１参照電圧ＯＰ−Ｖｒｅｆが入力される＋端子の電位）と、Ａ／Ｄコンバータ１７の端子Ｔ３とセラミックコンデンサＣ５との間の点Ｐ４の電位（第２参照電圧ＡＤ−Ｖｒｅｆが入力される端子Ｔ３の電位）とを等しくするために設けられている。具体的には、接地電位調整部１８は、第１参照電圧ＯＰ−Ｖｒｅｆの第１接地電位ＯＰ−ＧＮＤを基準とする電圧値（第１電圧値）と、第２参照電圧ＡＤ−Ｖｒｅｆの第２接地電位ＡＤ−ＧＮＤを基準とする電圧値（第２電圧値）とが等しくなるように、セラミックコンデンサＣ５と接地電位調整部１８との間の点Ｐ３の電位（第２接地電位ＡＤ−ＧＮＤ）を調整するために設けられている。
【００３４】
詳細には、接地電位調整部１８は、電源５４（出力電圧Ｖ４）とグランドとの間で互いに直列に接続された２つの抵抗Ｒ９およびＲ１０と、抵抗Ｒ１０に並列に接続されたノイズ除去のためのセラミックコンデンサ（円柱形状の電解コンデンサよりも小さいコンデンサ）Ｃ９とを含む。抵抗Ｒ９およびＲ１０は、電源５４からの出力電圧Ｖ４を分圧することにより、第２接地電位ＡＤ−ＧＮＤの調整前における第１電圧値（５Ｖ）と第２電圧値（２．５Ｖ）との電位差分の電圧（２．５Ｖ）を生成するために設けられている。すなわち、抵抗Ｒ９およびＲ１０は、２．５Ｖの電圧を抵抗分圧により生成することによって、抵抗Ｒ９とＲ１０との間に接続される点Ｐ３の電位（第２接地電位ＡＤ−ＧＮＤ）を、グランドの電位（０Ｖ）に対して２．５Ｖ底上げするために設けられている。
【００３５】
上記のような構成により、図３に示すように、第２接地電位ＡＤ−ＧＮＤが調整された後（２．５Ｖ底上げされた後）には、Ａ／Ｄコンバータ１７の端子Ｔ３に入力される第２参照電圧ＡＤ−Ｖｒｅｆの電圧値（第２電圧値）は、オペアンプ１６ａおよび１６ｂの各々の＋端子に入力される第１参照電圧ＯＰ−Ｖｒｅｆの電圧値（第１電圧値）と同じ５Ｖに設定される。これにより、５Ｖの電位を基準として正弦波状に振動する波形を有するオペアンプ１６ａおよび１６ｂからの出力信号（図３参照）がＡ／Ｄコンバータ１７に直接入力されても、Ａ／Ｄコンバータ１７は、５Ｖの電圧値（第２電圧値）を有する第２参照電圧ＡＤ−Ｖｒｅｆに基づいて正常に動作する。その結果、第１参照電圧ＯＰ−Ｖｒｅｆの電圧値（第１電圧値）と、第２参照電圧ＡＤ−Ｖｒｅｆの電圧値（第２電圧値）とが、第２接地電位ＡＤ−ＧＮＤの調整前（第１接地電位ＯＰ−ＧＮＤおよび第２接地電位ＡＤ−ＧＮＤが共に０Ｖのとき）において互いに異なる場合にも、第２接地電位ＡＤ−ＧＮＤの調整（底上げ）により、オペアンプ１６ａおよび１６ｂの出力とＡ／Ｄコンバータ１７の入力との間に円柱形状の電解コンデンサなどの比較的大きな回路素子を含む複雑なレベル変換回路を設けることなく、オペアンプ１６ａおよび１６ｂから出力されるアナログ音声信号をＡ／Ｄコンバータ１７によってデジタル音声信号に正常に変換することが可能である。
【００３６】
また、図２に示すように、Ａ／Ｄコンバータ１７の端子Ｔ８、Ｔ９、Ｔ１０およびＴ１１（出力端子）には、それぞれ、抵抗Ｒ１１、Ｒ１２、Ｒ１３およびＲ１４が設けられた出力線４３ａ、４３ｂ、４３ｃおよび４３ｄが接続されている。ここで、出力線４３ａおよび４３ｂには、接地電位調整部１８により第２接地電位ＡＤ−ＧＮＤが２．５Ｖ底上げされることに起因して変化したＡ／Ｄコンバータ１７からの出力信号（デジタル音声信号）の電圧レベルを、第２接地電位ＡＤ−ＧＮＤが調整される前（第２接地電位ＡＤ−ＧＮＤが０Ｖのとき）の電圧レベルに戻すための出力電圧調整部１９ａが接続されている。また、出力線４３ａおよび４３ｂにも、上記出力電圧調整部１９ａと同様の機能を有する出力電圧調整部１９ｂが接続されている。
【００３７】
出力電圧調整部１９ａは、出力線４３ａとグランドとを接続するように設けられた抵抗Ｒ１５と、出力線４３ｂとグランドとを接続するように設けられた抵抗Ｒ１６とを含む。この出力電圧調整部１９ａは、出力線４３ａおよび４３ｂ上にそれぞれ設けられた抵抗Ｒ１１および抵抗Ｒ１２のＡ／Ｄコンバータ１７とは反対側に接続されている。また、出力電圧調整部１９ｂは、出力線４３ｃとグランドとを接続するように設けられた抵抗Ｒ１７と、出力線４３ｄとグランドとを接続するように設けられた抵抗Ｒ１８とを含む。この出力電圧調整部１９ｂは、出力線４３ｃおよび４３ｄ上にそれぞれ設けられた抵抗Ｒ１３およびＲ１４のＡ／Ｄコンバータ１７とは反対側に接続されている。
【００３８】
本実施形態では、上記のように、Ａ／Ｄコンバータ１７の端子Ｔ３に、第１電位と第２電位とが等しくなるように第２接地電位ＡＤ−ＧＮＤを調整する（２．５Ｖ底上げする：図３参照）接地電位調整部１８を接続する。これにより、オペアンプ１６ａおよび１６ｂの動作の基準となる第１参照電圧ＯＰ−Ｖｒｅｆと、Ａ／Ｄコンバータ１７の動作の基準となる第２参照電圧ＡＤ−Ｖｒｅｆとが互いに異なる場合でも、接地電位調整部１８によって、第１参照電圧ＯＰ−Ｖｒｅｆの第１接地電位ＯＰ−ＧＮＤを基準とする電圧値（第１電圧値）と、第２参照電圧ＡＤ−Ｖｒｅｆの第２接地電位ＡＤ−ＧＮＤを基準とする電圧値（第２電圧値）とを等しくすることができる。その結果、オペアンプ１６ａおよび１６ｂの出力とＡ／Ｄコンバータ１７の入力との間に円柱形状の電解コンデンサなどの比較的大きな回路素子を含む複雑なレベル変換回路を設けることなく、オペアンプ１６ａおよび１６ｂからの出力信号をＡ／Ｄコンバータ１７によって正常に処理することができるので、信号処理回路１３ａの回路構成の簡略化および省スペース化を図ることができる。また、オペアンプ１６ａおよび１６ｂの出力とＡ／Ｄコンバータ１７の入力との間にレベル変換回路を設けないことにより、オペアンプ１６ａおよび１６ｂからの出力信号が劣化することなくＡ／Ｄコンバータ１７に入力されるので、信号の歪みを抑制することもできる。
【００３９】
また、本実施形態では、上記のように、接地電位調整部１８を、第２接地電位ＡＤ−ＧＮＤが調整される前（第１接地電位ＯＰ−ＧＮＤおよび第２接地電位ＡＤ−ＧＮＤが共に０Ｖの場合）における第１参照電圧ＯＰ−Ｖｒｅｆの第１電圧値（５Ｖ）と第２参照電圧ＡＤ−Ｖｒｅｆの第２電圧値（２．５Ｖ）との電位差分の電圧（２．５Ｖ）を抵抗分圧により生成するための２つの抵抗Ｒ９およびＲ１０を含むように構成する。これにより、２つの抵抗Ｒ９およびＲ１０によって、調整前の第１電圧値と第２電圧値との電位差分の電圧を容易に生成することができるので、容易に、第１電圧値と第２電圧値とが等しくなるように第２接地電位ＡＤ−ＧＮＤを調整する（２．５Ｖ底上げする：図３参照）ことができる。
【００４０】
また、本実施形態では、上記のように、接地電位調整部１８を、ノイズ除去のためのセラミックコンデンサＣ９を含むように構成する。これにより、円柱形状の電解コンデンサよりも小さいセラミックコンデンサＣ９を用いることによって接地電位調整部１８の省スペース化を図りながら、容易に、ノイズを除去することができる。
【００４１】
また、本実施形態では、上記のように、Ａ／Ｄコンバータ１７の出力端子Ｔ８〜Ｔ１１に、接地電位調整部１８により第２接地電位ＡＤ−ＧＮＤが調整される（２．５Ｖ底上げされる：図３参照）ことに起因して変化したＡ／Ｄコンバータ１７からの出力信号の電圧レベルを、第２接地電位ＡＤ−ＧＮＤが調整される前の電圧レベルに戻すための出力電圧調整部１９ａおよび１９ｂを接続する。これにより、接地電位調整部１８により第２接地電位ＡＤ−ＧＮＤが調整されることに起因してＡ／Ｄコンバータ１７からの出力信号の電圧値が変化した場合でも、出力電圧調整部１９ａおよび１９ｂによって、容易に、Ａ／Ｄコンバータ１７からの出力信号の電圧レベルを調整前の電圧レベルに戻すことができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
たとえば、上記実施形態では、ディスク装置の音声処理部に含まれる信号処理回路に本発明を適用する例を示したが、本発明はこれに限らない。本発明は、ディスク装置の音声処理部以外の部分（たとえば、映像処理部）に含まれる信号処理回路にも適用可能であるとともに、ディスク装置以外の一般的な電子機器に用いられる信号処理回路にも適用可能である。この場合、本発明の第１回路としてオペアンプ以外の演算処理回路を用いてもよいし、本発明の第２回路としてＡ／Ｄコンバータ以外の演算処理回路を用いてもよい。
【００４４】
また、上記実施形態では、Ａ／Ｄコンバータ（第２回路）の第２参照電圧が入力される端子に接地電位調整部を接続する例を示したが、本発明はこれに限らない。本発明では、オペアンプ（第１回路）の第１参照電圧が入力される端子に接地電位調整部を接続してもよいし、オペアンプの第１参照電圧が入力される端子と、Ａ／Ｄコンバータの第２参照電圧が入力される端子との両方に接地電位調整部を接続してもよい。
【００４５】
また、上記実施形態では、接地電位調整部を、抵抗分圧のための２つの抵抗と、ノイズ除去のための１つのセラミックコンデンサとにより構成する例を示したが、本発明はこれに限らない。本発明では、抵抗分圧のための抵抗の個数を３つ以上にしてもよい。また、本発明では、ノイズ除去のためのコンデンサとして、セラミックコンデンサ以外のコンデンサを用いてもよい。この場合、接地電位調整部の大型化を抑制するために、比較的大きな回路素子である電解コンデンサ以外のコンデンサを用いるのが好ましい。
【符号の説明】
【００４６】
１０  ディスク装置
１３ａ  信号処理回路
１６ａ、１６ｂ  オペアンプ（第１回路）
１７  Ａ／Ｄコンバータ（第２回路）
１８  接地電位調整部
１９ａ、１９ｂ  出力電圧調整部
Ｃ９  セラミックコンデンサ
Ｒ９、Ｒ１０  抵抗
【図１】
2014138229.tif 000003
【図２】
2014138229.tif 000004
【図３】
2014138229.tif 000005